(57)【要約】      （修正有）【課題】液晶表示ユニットと表示変換盤との位置合わせ作業後において、簡易に精度判定を行える判定用画像を提供する。【解決手段】２Ｄ表示タイプの液晶表示ユニットと表示変換盤とを組み合わせて３Ｄ液晶表示装置としたときに、液晶表示ユニットと表示変換盤との位置ずれを幅方向のＸズレと回転方向のθズレとで確認するための判定用画像であって、３Ｄ表示する前の原図においては、判定用画像の左右中心を境界として、左右に同じ第一画像１０Ａ，１０Ｂ，１１Ａ，１１Ｂ，１２Ａ，１２Ｂ，１３Ａ，１３Ｂ，１４Ａ，１４Ｂ，１５Ａ，１５Ｂが設けられていると共に、右側には、背景に第二の色で作成された第二画像２０と、その前面に第一の色で作成された第一画像１０Ｂ〜１５Ｂとが設けられている一方、左側には、背景に第三の色で作成された第三画像３０と、その前面に第一の色で作成された第一画像１０Ａ〜１５Ａとが設けられている。【選択図】図７
2018132593.tif 000002
【特許請求の範囲】
【請求項１】
２Ｄ表示タイプの液晶表示ユニットと表示変換盤とを組み合わせて３Ｄ液晶表示装置としたときに、前記液晶表示ユニットと表示変換盤との位置ずれを幅方向のＸズレと回転方向のθズレとで確認するための判定用画像であって、
３Ｄ表示する前の原図においては、前記判定用画像の左右中心を境界として、左右に同じ第一画像が設けられていると共に、右側には、背景に第二の色で作成された第二画像と、その前面に第一の色で作成された前記第一画像とが設けられている一方、左側には、背景に第三の色で作成された第三画像と、その前面に第一の色で作成された前記第一画像とが設けられており、
前記３Ｄ液晶表示装置で３Ｄ表示を行ったときには、所定の位置において単眼で観察したときに、前記第二画像と第三画像とが画面の中央で重なり合って帯画像が見えると共に、前記第一画像には、画面の右側から中央方向に向かって突出し右半面の内側に右最突出位置を備えた右側模様と、画面の左側から中央方向に向かって突出し左半面の内側に左最突出位置を備えた左側模様とが備えられており、前記右側模様と左側模様は画面の中央において互いに接触しないようにされていると共に、前記右最突出位置と左最突出位置との水平方向の離間幅が、前記帯画像の前記Ｘズレの最大許容幅を規定する一方、画面の中央には、二本の傾斜判定用直線が画面の上下方向に向かって設けられ、左右両方向から画面の中央をはさんで互いに反対方向に伸びることで画面の中心において交差するように引かれており、前記二本の傾斜判定用直線の傾斜が、前記帯画像の前記θズレの最大許容角度を規定することを特徴とする判定用画像。
【請求項２】
前記右側模様は、画面の高さ方向の中央に前記右最突出位置を持つ「く」の字状とされ、前記左側模様は、画面の高さ方向の中央に前記左最突出位置を持つ「逆く」の字状とされていると共に、前記右側模様及び左側模様の最端部を形成する傾斜は、前記傾斜判定用直線の傾斜に併せられている請求項１に記載の判定用画像。
【請求項３】
前記第二の色と第三の色とは、白と黒とのいずれかで構成されていることを特徴とする請求項１または２に記載の判定用画像。
【請求項４】
請求項１〜３のいずれか一つに記載の判定用画像を用いて、カメラによって、Xズレとθズレとを確認するときに、前記帯画像と前記背景との境界部分を明確にするために、コントラストの調整を行うことを特徴とする判定方法。
【発明の詳細な説明】
【技術分野】
【０００１】
本発明は、３Ｄパネルを作製する際に、単眼（特にカメラ）で貼り合わせ精度を判定するための判定用画像に関する。
【背景技術】
【０００２】
例えば、パチンコ機、スロットマシン、ゲーム機（アーケードゲーム機、室内ゲーム機）、その他のクレーンマシンなどでは、遊技内容に応じて、３Ｄ表示タイプの液晶表示装置が用いられることがある。このうち、３Ｄ液晶表示装置を用いた遊技機（パチンコ機、スロットマシンなど）では、遊技者の気運を高める背景映像に加え、強い興趣が持たれる大当り遊技の成立などに関与する遊技表示情報としての図柄組合せゲームを展開・表示するために好適に使用されつつある。
３Ｄ液晶表示装置としては、３Ｄ専用の液晶表示ユニットを備えたものと、２Ｄ表示タイプの液晶表示ユニットに表示変換盤（２Ｄから３Ｄに表示を変換するもの。パララックスバリアまたはレンチキュラーレンズがある。）を組み合わせたものがある。このうち、後者の構成とする場合には、前者の場合に比べると低コストとすることができるし、表示変換盤を取り外すことで２Ｄ表示タイプの液晶表示ユニットを再使用できる。このため、後者の構成が採用されることが多い。但し、この場合には、液晶表示ユニットと表示変換盤の位置を極めて精密に合わせる必要があり、位置調整が絶対的に重要となる。本件発明者は、簡単に精度良く、液晶表示ユニットと表示変換盤とを組み合わせる整合装置を開発してきた（特許文献１）。
【先行技術文献】
【特許文献】
【０００３】
【特許文献１】特開２０１３−１８６３８１号公報
【発明の概要】
【発明が解決しようとする課題】
【０００４】
しかしながら、上記整合装置を用いたとしても、液晶表示ユニットと表示変換盤との位置合わせ作業を行った後の精度測定には、相当の時間が必要となることから、更に短時間に行える工夫が必要とされていた。
本発明は、上記した事情に鑑みてなされたものであり、その目的は、液晶表示ユニットと表示変換盤との位置合わせ作業後において、簡易に精度判定を行える判定用画像を提供することである。
【課題を解決するための手段】
【０００５】
上記目的を達成するための発明に係る判定用画像は、２Ｄ表示タイプの液晶表示ユニットと表示変換盤とを組み合わせて３Ｄ液晶表示装置としたときに、前記液晶表示ユニットと表示変換盤との位置ずれを幅方向のＸズレと回転方向のθズレとで確認するためのものであって、３Ｄ表示する前の原図においては、前記判定用画像の左右中心を境界として、左右に同じ第一画像が設けられていると共に、右側には、背景に第二の色で作成された第二画像と、その前面に第一の色で作成された前記第一画像とが設けられている一方、左側には、背景に第三の色で作成された第三画像と、その前面に第一の色で作成された前記第一画像とが設けられており、前記３Ｄ液晶表示装置で３Ｄ表示を行ったときには、所定の位置において単眼で観察したときに、前記第二画像と第三画像とが画面の中央で重なり合って帯画像が見えると共に、前記第一画像には、画面の右側から中央方向に向かって突出し右半面の内側に右最突出位置を備えた右側模様と、画面の左側から中央方向に向かって突出し左半面の内側に左最突出位置を備えた左側模様とが備えられており、前記右側模様と左側模様は画面の中央において互いに接触しないようにされていると共に、前記右最突出位置と左最突出位置との水平方向の離間幅が、前記帯画像の前記Ｘズレの最大許容幅を規定する一方、画面の中央には、二本の傾斜判定用直線が画面の上下方向に向かって設けられ、左右両方向から画面の中央をはさんで互いに反対方向に伸びることで画面の中心において交差するように引かれており、前記二本の傾斜判定用直線の傾斜が、前記帯画像の前記θズレの最大許容角度を規定することを特徴とする。
【０００６】
上記発明において、単眼とは、所定の位置における観察を（両眼ではなく）単眼で観察することを意味している。このとき、ヒトの眼で観察することもできるが、特定の位置を決めたとしても、個人のクセや観察時の位置ずれなどがあり得る。このため、単眼のカメラを用い、特定の位置に固定して観察することが好ましい。このとき、カメラとは、光学的に観察し得る機器のことを意味しており、例えば、時間を特定して瞬間の状態を観察するものや、ビデオのように時間的に連続的（断続的）に状態を観察するものの両者が含まれる。また、カメラによって写された画像を視認するための画像装置を備えていることが好ましい。そのようなカメラとしては、デジタルカメラ、ビデオカメラ、CCD素子から画像信号を受信して映し出すコンピュータなどが含まれる。
上記発明によれば、２Ｄ表示タイプの液晶表示ユニットと表示変換盤とを組み合わせて３Ｄ液晶表示装置とする作業を終えた後に、３Ｄ表示を行ったときに、所定の位置において単眼（より詳細には、カメラ）で観察すると、画面の前面には第一画像が見え、画面の背面では画面の中央で第二画像と第三画像とが重なり合った帯画像が見える。この帯画像は、表示変換盤の組付作業時のＸズレが大きくなるに従って左右いずれかの方向に位置ずれする。ここで最大許容幅Ｘｍａｘの間に、帯画像が収まっていれば、表示変換盤の組付位置のＸズレは、許容範囲内に収まっていることになる。一方、帯画像が、左右の最突出位置に触れた場合には、Ｘズレが大きすぎることになる。
また、帯画像の小さくない側の傾きＳと、二本の傾斜判定用直線の傾きθｍａｘとを比較し、前者が後者よりも小さければ（Ｓ＜θｍａｘ）、表示変換盤の組付位置のθズレは、許容範囲内に収まっていることになる。こうして、液晶表示ユニットと表示変換盤との位置合わせ作業において、簡易に精度判定を行える。
【０００７】
上記発明において、前記右最突出位置と左最突出位置とは、画面の水平方向の同じ位置に設けられていることが好ましい。このようにすれば、右最突出位置と左最突出位置が高さ方向に位置ずれして設けられている場合に比べると、Ｘズレの判定を行いやすくなる。また、このとき右最突出位置と左突出位置とは、画面の高さ方向の中央に設けられていることが好ましい。
また、上記発明において、前記右側模様は、画面の高さ方向の中央に前記右最突出位置を持つ「く」の字状とされ、前記左側模様は、画面の高さ方向の中央に前記左最突出位置を持つ「逆く」の字状とされていると共に、前記右側模様及び左側模様の最端部を形成する傾斜は、前記傾斜判定用直線の傾斜に併せられていることが好ましい。このようにすれば、傾斜判定用直線と、右側模様及び左側模様とが形成する図形は、平行に進むことになるので、θズレの判定を行いやすくなる。
また、第二の発明に係る判定方法は、上記判定用画像を用いて、カメラによって、Xズレとθズレとを確認するときに、前記帯画像と前記背景との境界部分を明確にするために、コントラストの調整を行うことを特徴とする。
本発明に係る判定用画像をカメラで観察したときには、帯画像の外縁が、ぼやけてしまい背景との境界を画定し難い事態が発生し得る。このようなときに、上記発明によれば、コントラスト調整を行うので、境界部分が、より明確となり、判定を行いやすい。
【０００８】
また、上記発明において、第二の色と第三の色とは、黒と白のいずれかで構成することが好ましい。そのようにすれば、３Ｄ表示を行ったときに、所定の位置において単眼（より詳細には、カメラ）で観察される中央の帯画像は、黒色として観察できるので、θズレ及びＸズレの判定を行いやすい。
本発明において、表示変換盤とは、透過液晶の表面側において適正な位置に設けることで、２Ｄ映像を３Ｄ映像に表示可能とするものを意味する。そのような表示変換透視盤としては、パララックスバリア方式によって立体視を行えるようにするパララックスバリアや、レンチキュラースクリーン方式によって立体視を行えるようにするレンチキュラーレンズなどが含まれる。このとき、レンチキュラーレンズを用いた場合には、光が屈折してしまい表示装置の裏面側に或る物体を明瞭に見ることができない事態が生じ得るので、これを回避するには、パララックスバリアを採用することができる。一方、パララックスバリアを用いた場合には、画面が暗くなってしまうので、これを回避するには、レンチキュラーレンズを用いることができる。また、パララックスバリアを用いた場合には、視認者が裸眼でも３Ｄ表示の視認が可能となる。
【発明の効果】
【０００９】
本発明によれば、液晶表示ユニットと表示変換盤との位置合わせ作業において、簡易に精度判定を行える判定用画像を提供できる。
【図面の簡単な説明】
【００１０】
【図１】本実施形態の原理を説明するための参考画像である。
【図２】３Ｄ画像を見るときの距離及び角度の関係を示す平面図である。
【図３】参考画像を画像中央から左目の位置に向かう線上（図２のＷＺ線上）の適視距離の位置（図２のＡ地点）において、左目で見たときの写真図である。
【図４】参考画像を画像中央から右目の位置に向かう線上（図２のＷＹ線上）の適視距離よりも近い位置（図２のＢ地点）において、右目で見たときの写真図である。
【図５】参考画像を画像中央から右目の位置に向かう線上（図２のＷＹ線上）の適視距離の位置（図２のＣ地点）において、右目で見たときの写真図である。
【図６】参考画像を画像中央から右目の位置に向かう線上（図２のＷＹ線上）の適視距離よりも遠い位置（図２のＤ地点）において、右目で見たときの写真図である。
【図７】本実施形態における判定用画像の原図である（但し、図示の都合上、右半面の二本の判定用直線の色は、左半面のものとは変えてある）。
【図８】判定用画像を３Ｄ表示したときに見える画像のうち、第二画像と第三画像が重なり合う帯画像を削除して示した図である。
【図９】判定用画像を３Ｄ表示したときに、特定位置（本実施形態では、Ｄ地点）において、単眼で見たときの写真図である。
【図１０】Ｘズレとθズレとが変化することによって、特定位置において単眼で確認される判定用画像の例を示す写真図である。
【発明を実施するための形態】
【００１１】
次に、本発明の実施形態について、図表を参照しつつ説明する。本発明の技術的範囲は、これらの実施形態によって限定されるものではなく、発明の要旨を変更することなく様々な形態で実施することができる。また、本発明の技術的範囲は、均等の範囲にまで及ぶ。
＜本実施形態の原理＞
図１には、本実施形態の原理を説明するための参考画像の原図（３Ｄ表示する前の元の図面）を示した。参考画像は、画面の中央から左側が白色、画面の中央から右側が黒色のそれぞれ単色が施されている。
図２には、３Ｄ画像表示された画面１を見るときの距離及び角度の関係を示した。画面１の中央から右目方向に伸びる直線ＷＹと、中央から左目方向に伸びる直線ＷＺとを設定し、適視距離Ｑ（例えば、４０ｃｍ〜８０ｃｍ程度）において、右目と左目の離間距離Ｐを隔てて、左右両眼（Ａ地点及びＣ地点）で視認することにより、３Ｄ画像を認識できるようになっている。
【００１２】
参考画像を３Ｄ画像表示すると、その特性として、適視距離Ｑの左目位置（Ａ地点）において、単眼（通常は、左目）で見ると、図３のように左側の画像のみが認められる。一方、画像中央から右目の位置に向かう直線ＷＹ上において、適視距離Ｑよりも近い地点Ｂ、丁度良い地点Ｃ及び遠い地点Ｄで、単眼（通常は、右目）で見ると、図４、図５及び図６に示す画像が認められる。すなわち、丁度良い地点Ｃでは、参考画像の右側の画像のみが認められるが、そこよりも近い距離または遠い距離では、左右の画像が重なり合って、画面の中央に帯画像を形成し、この帯画像の幅が狭まったり、広がったりする。
この原理に基づき、本実施形態の判定用画像を用いることにより、２Ｄ表示タイプの液晶表示ユニットと表示変換盤との位置ずれを容易に確認する。
【００１３】
＜判定用画像の構成＞
図７には、判定用画像の原図（３Ｄ表示する前の元の図面）を示した。実際の構成では、右半面の二本の判定用直線１０Ｂの色と、左半面の判定用直線１０Ａの色とは、同じである。但し、第二画像２０と判定用直線１０Ｂが重なってしまい、確認し難いために、図示の都合上、判定用直線１０Ｂを白系統の色で示した。
この判定用画像は、２Ｄ表示タイプの液晶表示ユニットと表示変換盤（本実施形態では、パララックスバリア）とを組み合わせて３Ｄ液晶表示装置としたときに、液晶表示ユニットと表示変換盤との位置ずれを幅方向のＸズレと回転方向のθズレとで確認するためのものである。判定用画像（の原図）は、左右中心を境界として、左右に同じ第一画像１０Ａ，１０Ｂ，１１Ａ，１１Ｂ，１２Ａ，１２Ｂ，１３Ａ，１３Ｂ，１４Ａ，１４Ｂ，１５Ａ，１５Ｂが設けられている。左右については、同一の構成である。
【００１４】
図７の原図において、画面の右側に設けられる第二画像２０は、第一画像１０Ｂ〜１５Ｂの背景において、第二の色（本実施形態では黒色）によって、単色で構成されている。
また、図７の原図において、画面の左側に設けられる第三画像３０は、第一画像１０Ａ〜１５Ａの背景において、第三の色（本実施形態では白色）によって、単色で構成されている。
第一画像の説明は、図７の原図ではなく、図８に示す態様（すなわち、画面１上で３Ｄ表示を行ったときの態様）として行う。
【００１５】
第一画像は、全体に第一の色（本実施形態では青色）にて作成されている。第一画像の右側からは、画面の高さ方向の中央において、最も内側に突出する右最突出位置１４Ａ，１４Ｂを持つ「く」の字状とされた右側模様１２Ａ，１２Ｂと、画面の左側から、画面の高さ方向の中央において、最も内側に突出する左最突出位置１３Ａ，１３Ｂを持つ「逆く」の字状とされた左側模様１１Ａ，１１Ｂとを備えている。右側模様１２Ａ，１２Ｂと左側模様１１Ａ，１１Ｂは、画面の中央において、左右の最突出位置１３Ａ，１３Ｂ，１４Ａ，１４Ｂが所定の距離を隔てつつ、互いに接触しないようにされている。右最突出位置１４Ａ，１４Ｂと左最突出位置１３Ａ，１３Ｂとの水平方向の離間幅Ｘｍａｘは、後述する帯画像のＸズレの最大許容幅Ｘｍａｘを規定するように設定されている。
【００１６】
また、画面の中央には、二本の傾斜判定用直線１０Ａ，１０Ｂが、画面の上下方向に向かって設けられ、左右両方向から画面の中央の交点１５Ａ，１５Ｂをはさんで、互いに反対方向に伸びることで画面の中心において交差するように引かれている。この二本の傾斜判定用直線の傾斜（のうち、９０°を超える傾斜角度）は、帯画像のθズレの最大許容角度θｍａｘを規定するように設定されている。加えて、右側模様１２Ａ，１２Ｂと左側模様１１Ａ，１１Ｂにおいて、右最突出位置１４Ａ，１４Ｂから上下両方向に伸びる傾斜線と、左最突出位置１３Ａ，１３Ｂから上下両方向に伸びる傾斜線との傾きも、それぞれ最大許容角度θｍａｘに併せられている。
【００１７】
上記のように構成されているため、左右最突出位置１３Ａ，１３Ｂ，１４Ａ，１４Ｂと、二本の傾斜判定用直線１０Ａ，１０Ｂの交点１５Ａ，１５Ｂとは、画面の高さ方向中央において、水平位置に揃ったところにある。また、二本の傾斜判定用直線１０Ａ，１０Ｂと、右側模様１２Ａ，１２Ｂ及び左側模様１１Ａ，１１Ｂとは、画面の上下において、それぞれ平行となっている。
本実施形態の判定用画像は、所定の位置（例えば、図２のＤ地点）において、単眼で３Ｄ表示したときの画面を見たときに、Ｘズレ及びθズレを判定できるように設定されている。すなわち、Ｘズレとして５０μｍ、θズレとして０.０１°を最大許容値として作成されたものである。なお本実施形態では、単眼として、カメラ（CCD素子からの画像信号を受信して映し出すコンピュータ）を用いている。
【００１８】
＜作用及び効果＞
次に、上記のように構成された本実施形態の作用及び効果について、図９及び図１０を参照しつつ説明する。
図９には、２Ｄ表示タイプの液晶表示ユニットと表示変換盤とを組み合わせて３Ｄ液晶表示装置として組付作業を行った後に３Ｄ表示を行い、Ｄ地点において、単眼としてのカメラで見たときの様子を示している。画面の前面には第一画像１０Ａ，１０Ｂ〜１５Ａ，１５Ｂが視認され、画面の背面では画面の中央で第二画像２０と第三画像３０とが重なり合った帯画像Ｍが見える。この帯画像Ｍは、表示変換盤の組付作業時のＸズレが大きくなるに従って、左右のいずれかに位置ずれする。図９では、最大許容幅Ｘｍａｘの間に、帯画像Ｍが収まっているので、表示変換盤の組付位置のＸズレは、許容範囲内に収まっていることになる。Ｘズレが大きくなると、帯画像Ｍの右端側または左端側が、左右最突出位置１３Ａ，１３Ｂ，１４Ａ，１４Ｂに接触または、これを超えることになる。なお、本実施形態に用いたカメラ（図示せず）のコンピュータソフトウエアには、帯画像Ｍと背景との境界を明確とするために、コントラストの調整を行うことができるようになっている。
【００１９】
また、帯画像Ｍの小さくない側の傾きＳと、二本の傾斜判定用直線の傾きθｍａｘとを比較したとき、前者が後者よりも小さいので（Ｓ＜θｍａｘ）、表示変換盤の組付位置のθズレも、許容範囲内に収まっていることになる。
図１０には、（Ａ）〜（Ｃ）の各種の組付作業後において、判定用画像を確認した結果を示した。図に示すように、Ｘズレが大きくなると、帯画像Ｍが中央から左右に位置ずれしてしまう。また、θズレが大きくなると、帯画像の小さくない側の傾きＳが大きくなってしまう。
このように、本実施形態によれば、液晶表示ユニットと表示変換盤との位置合わせ作業において、簡易に精度判定を行える判定用画像を提供できた。
【００２０】
なお、本発明においては、次のように変形して実施することもできる。
（１）本実施形態では、右最突出位置１４Ａ，１４Ｂと左最突出位置１３Ａ，１３Ｂとは、画面の水平方向の同じ位置に設けたが、本発明によれば、両最突出位置は、高さ方向に位置ずれしていても良い。
（２）本実施形態では、第一画像の右側模様と左側模様は、それぞれ「く」の字状、「逆く」の字状とされているが、本発明によれば、最突出位置のみを両端から中央方向に突出させておき、傾斜を設けないでも良い。
（３）本実施形態では、第二の色は黒色で、第三の色は白色で構成されているが、本発明によれば、第二の色を白色で第三の色を黒色としても良い。また、第一の色とは異なる色において、第二の色と第三の色とを選択すれば、適当な色とすることもできる。
（４）本実施形態では、Ｘズレの最大幅として５０μｍ、θズレの最大角度として０.０１°を設け判定用画像を作成したが、本発明によれば、任意の幅、角度及び任意の地点での観察を特定することにより、様々な第一画像を作成することができる。
【符号の説明】
【００２１】
Ｍ…帯画像
Ｓ…帯画像の小さくない側の傾き
１０Ａ，１０Ｂ…傾斜判定用直線（第一画像）
１１Ａ，１１Ｂ…左側模様（第一画像）
１２Ａ，１２Ｂ…右側模様（第一画像）
１３Ａ，１３Ｂ…左最突出位置（第一画像）
１４Ａ，１４Ｂ…右最突出位置（第一画像）
２０…第二画像
３０…第三画像
Ｘｍａｘ…最大許容幅
θｍａｘ…最大許容角度
【図１】
2018132593.tif 000003
【図２】
2018132593.tif 000004
【図３】
2018132593.tif 000005
【図４】
2018132593.tif 000006
【図５】
2018132593.tif 000007
【図６】
2018132593.tif 000008
【図７】
2018132593.tif 000009
【図８】
2018132593.tif 000010
【図９】
2018132593.tif 000011
【図１０】
2018132593.tif 000012